(57)【特許請求の範囲】
【請求項１】
プレゼンテーションシステムであって、
発信装置、および、
受信装置、
を含み、
前記発信装置は、
スクリーンフレームをキャプチャするキャプチャモジュール、および、
前記キャプチャモジュールと電気的に接続され、前記スクリーンフレームを発信する第一通信インターフェースを含み、
前記受信装置は、
前記スクリーンフレームを受信する第二通信インターフェースと、
ディスプレイ装置と電気的に接続されて、前記スクリーンフレームを、前記ディスプレイ装置に出力して表示するビデオ接続インターフェースと、
前記スクリーンフレームを保存して、ウェブページとするウェブサーバ、および、
前記ウェブサーバと電気的に接続されて、ブラウザと前記ウェブサーバとの間にネットワーク接続を構築し、前記ブラウザで前記ウェブページを閲覧できるようにするネットワークインターフェース、
を含み、
前記第一通信インターフェースは、IEEE ８０２.１１シリーズの無線通信基準に従い、
前記第二通信インターフェースは、IEEE ８０２.１１シリーズの無線通信基準に従い、
前記受信装置は、脱着可能な方式で、前記ディスプレイ装置と接続され、
前記ビデオ接続インターフェースは、ビデオグラフィックスアレイ(Video Graphic Array，VGA)接続ポート、デジタルビジュアルインターフェース(Digital Visual Interface，DVI)、または、高精細度マルチメディアインターフェース(High Definition Multimedia Interface，HDMI（登録商標）)であることを特徴とするプレゼンテーションシステム。
【請求項２】
前記発信装置は、更に、前記スクリーンフレームを前記ウェブページにするかどうかを設定することを特徴とする請求項１に記載のプレゼンテーションシステム。
【請求項３】
前記発信装置は、周期的に、前記スクリーンフレームを発信する、又は不定期で、静態の前記スクリーンフレームを発信する、又は、前記スクリーンフレームが変動したかどうかを検出し、変動した前記スクリーンフレームを前記受信装置に発信することを特徴とする請求項１又は２に記載のプレゼンテーションシステム。
【請求項４】
前記発信装置は、さらに、
前記キャプチャモジュールと前記第一通信インターフェースの間に電気的に接続され、前記キャプチャモジュールによりキャプチャされた前記スクリーンフレームを符号化するエンコードモジュールを含むことを特徴とする請求項１から３何れかの一項に記載のプレゼンテーションシステム。
【請求項５】
前記ウェブサーバは自動更新モジュールを含み、前記自動更新モジュールが前記ブラウザで閲覧される前記ウェブページを自動的にリフレッシュすることを特徴とする請求項１から４何れかの一項に記載のプレゼンテーションシステム。
【請求項６】
受信装置であって、前記受信装置が発信装置とプレゼンテーションシステムを構成し、前記発信装置が、スクリーンフレームをキャプチャし、前記スクリーンフレームを前記受信装置に発信し、前記受信装置は、
前記発信装置により発信される前記スクリーンフレームを受信する通信インターフェースと、
ディスプレイ装置と電気的に接続されて、前記スクリーンフレームを、前記ディスプレイ装置に出力して表示するビデオ接続インターフェースと、
前記スクリーンフレームを保存してウェブページとするウェブサーバ、および、
前記ウェブサーバと電気的に接続されて、ブラウザと前記ウェブサーバとの間にネットワーク接続を構築し、前記ブラウザで前記ウェブページを閲覧するネットワークインターフェースと、
を含み、
前記通信インターフェースは、IEEE ８０２.１１シリーズの無線通信基準に従い、
前記受信装置は、脱着可能な方式で、前記ディスプレイ装置と接続され、
前記ビデオ接続インターフェースは、ビデオグラフィックスアレイ接続ポート、デジタルビジュアルインターフェース、または、高精細度マルチメディアインターフェースであることを特徴とする受信装置。
【請求項７】
前記ウェブサーバは自動更新モジュールを含み、前記ブラウザで閲覧される前記ウェブページを自動的にリフレッシュすることを特徴とする請求項６に記載の受信装置。
【請求項８】
プレゼンテーション方法であって、
発信装置が、スクリーンフレームをキャプチャし、前記スクリーンフレームを受信装置に発信する工程と、
前記受信装置が、前記スクリーンフレームを受信し、前記スクリーンフレームをディスプレイ装置に出力して表示する工程と、
前記受信装置がウェブサーバを構築する工程、および、
前記受信装置が、前記スクリーンフレームを保存して、ウェブページとし、ブラウザと前記ウェブサーバとの間にネットワーク接続を構築し、ブラウザで前記ウェブページを閲覧する工程、
を含み、
前記発信装置及び前記受信装置は、IEEE ８０２.１１シリーズの無線通信基準に従い、
前記受信装置は、ビデオグラフィックスアレイ接続ポート、デジタルビジュアルインターフェース、または、高精細度マルチメディアインターフェースにより、前記ディスプレイ装置と接続されることを特徴とするプレゼンテーション方法。
【請求項９】
前記発信装置は、更に、前記スクリーンフレームを前記ウェブページとするかどうかを設定することを特徴とする請求項８に記載のプレゼンテーション方法。
【請求項１０】
前記発信装置は、周期的に、前記スクリーンフレームを発信する、又は不定期で、静態の前記スクリーンフレームを発信する、又は、前記スクリーンフレームが変動したかどうかを検出し、変動した前記スクリーンフレームを前記受信装置に発信することを特徴とする請求項８又は９に記載のプレゼンテーション方法。
【請求項１１】
前記発信装置は、キャプチャされる前記スクリーンフレームを符号化し、すでに符号化された前記スクリーンフレームを発信することを特徴とする請求項８から１０何れかの一項に記載のプレゼンテーション方法。
【請求項１２】
さらに、
前記ウェブサーバが、前記ブラウザで閲覧される前記ウェブページを自動的にリフレッシュする工程を含むことを特徴とする請求項８から１１何れかの一項に記載のプレゼンテーション方法。
【請求項１３】
プレゼンテーション表示方法であって、
受信装置が、発信装置によりキャプチャされたスクリーンフレームを受信し、前記スクリーンフレームをディスプレイ装置に出力して表示する工程と、
前記受信装置がウェブサーバを構築する工程と、
前記受信装置が前記スクリーンフレームを保存してウェブページとし、ブラウザと前記ウェブサーバとの間にネットワーク接続を構築し、前記ブラウザで前記ウェブページを閲覧する工程と、
を含み、
前記発信装置及び前記受信装置は、IEEE ８０２.１１シリーズの無線通信基準に従い、
前記受信装置は、ビデオグラフィックスアレイ接続ポート、デジタルビジュアルインターフェース、または、高精細度マルチメディアインターフェースにより、前記ディスプレイ装置と接続されることを特徴とするプレゼンテーション方法。
【請求項１４】
更に、
前記ウェブサーバは、前記ブラウザで閲覧される前記ウェブページを自動的にリフレッシュする工程を含むことを特徴とする請求項１３に記載のプレゼンテーション方法。
【請求項１５】
コンピュータに請求項１３又は１４に記載のプレゼンテーション方法を実行させるためのプログラム。
【発明の詳細な説明】
【技術分野】
【０００１】
本発明は、プレゼンテーションシステム、受信装置およびその方法に関するものであって、特に、ユーザーが、ブラウザにより、プレゼンテーション中のプレゼンテーションページを閲覧することができるプレゼンテーションシステム、受信装置および方法に関するものである。
【背景技術】
【０００２】
従来のプレゼンテーションシステムは、プレゼンテーションページを再生するコンピュータのスクリーンフレームをキャプチャし、キャプチャしたスクリーンフレームをプロジェクタやテレビ等のディスプレイ装置に発信して表示して、視聴者にスライドを鑑賞してもらう。しかし、大型のプレゼンテーションでは、投写効果がよくない、ディスプレイ装置の解像度不足や視聴者の距離が遠すぎる等の問題があり、各視聴者に簡単にプレゼンテーションページを閲読してもらうことができない。
【０００３】
近年、スマートフォン(smart phone)およびタブレット型コンピュータ(tablet computer)等の携帯インターネット機器(Mobile Internet Device，MID)が快速に普及している。よって、どのようにして、プレゼンテーションに参加する視聴者が、携帯インターネット機器やディスプレイを有するその他のネットワーク装置により、再生中のプレゼンテーションスライドを取得して閲覧できるようにするかが課題である。
【発明の概要】
【発明が解決しようとする課題】
【０００４】
本発明は、プレゼンテーションシステム、受信装置とその方法およびコンピュータ可読媒体を提供し、受信端で、プレゼンテーション発信端により発信されるスクリーンフレームを保存して、ウェブページとすると共に、ウェブサーバを構築して、プレゼンテーションに参加する視聴者に、携帯インターネット機器やその他のネットワーク装置により、受信端のウェブサーバを接続し、プレゼンテーション画面を含むウェブページを閲覧してもらうことを目的とする。
【課題を解決するための手段】
【０００５】
本発明の第一実施例によるプレゼンテーションシステムは、発信装置および受信装置を含む。発信装置は、キャプチャモジュールおよび第一通信インターフェースを含む。キャプチャモジュールはスクリーンフレームをキャプチャする。第一通信インターフェースとキャプチャモジュールは電気的に接続して、キャプチャモジュールによりキャプチャされるスクリーンフレームを発信する。受信装置は、第二通信インターフェース、ビデオ接続インターフェース、ウェブサーバおよびネットワークインターフェースを含む。第二通信インターフェースは、発信装置により発信されるスクリーンフレームを受信する。ビデオ接続インターフェースは、ディスプレイ装置と電気的に接続して、受信したスクリーンフレームを、ビデオ接続インターフェースによりディスプレイ装置に出力して表示する。ウェブサーバは、受信したスクリーンフレームを保存して、ウェブページとする。ネットワークインターフェースとウェブサーバは電気的に接続し、ネットワークインターフェースにより、ブラウザとウェブサーバとの間にネットワーク接続を構築し、ウェブサーバのウェブページを閲覧する。第一通信インターフェースは、IEEE ８０２.１１シリーズの無線通信基準に従い、第二通信インターフェースは、IEEE ８０２.１１シリーズの無線通信基準に従う。受信装置は、脱着可能な方式で、ディスプレイ装置と接続され、ビデオ接続インターフェースは、ビデオグラフィックスアレイ(Video Graphic Array，VGA)接続ポート、デジタルビジュアルインターフェース(Digital Visual Interface，DVI)、または、高精細度マルチメディアインターフェース(High Definition Multimedia Interface，HDMI（登録商標）)である。
【０００６】
本発明の第二実施例による受信装置は、発信装置と共にプレゼンテーションシステムを構成し、発信装置は、スクリーンフレームをキャプチャし、キャプチャされるスクリーンフレームを受信装置に発信する。受信装置は、通信インターフェース、ビデオ接続インターフェース、ウェブサーバおよびネットワークインターフェースを含む。通信インターフェースは、発信装置により発信されるスクリーンフレームを受信する。ビデオ接続インターフェースは、ディスプレイ装置と電気的に接続し、受信したスクリーンフレームは、ビデオ接続インターフェースにより、ディスプレイ装置に出力して表示する。ウェブサーバは、受信したスクリーンフレームを保存し、ウェブページとする。ネットワークインターフェースとウェブサーバは電気的に接続して、ネットワークインターフェースにより、ブラウザとウェブサーバとの間にネットワーク接続を構築し、ウェブサーバのウェブページを閲覧する。通信インターフェースは、IEEE ８０２.１１シリーズの無線通信基準に従い、受信装置は、脱着可能な方式で、ディスプレイ装置と接続される。ビデオ接続インターフェースは、ビデオグラフィックスアレイ接続ポート、デジタルビジュアルインターフェース、または、高精細度マルチメディアインターフェースである。
【０００７】
本発明の第三実施例によるプレゼンテーション方法は、発信装置が、スクリーンフレームをキャプチャし、スクリーンフレームを受信装置に発信する工程と、受信装置が、発信装置により発信されるスクリーンフレームを受信し、受信したスクリーンフレームをディスプレイ装置に出力して表示する工程と、受信装置がウェブサーバを構築する工程、および、受信装置が、受信したスクリーンフレームを保存して、ウェブページとし、ブラウザとウェブサーバとの間にネットワーク接続を構築し、ウェブサーバのウェブページを閲覧する工程、を含む。発信装置及び受信装置は、IEEE ８０２.１１シリーズの無線通信基準に従う。受信装置は、ビデオグラフィックスアレイ接続ポート、デジタルビジュアルインターフェース、または、高精細度マルチメディアインターフェースにより、ディスプレイ装置と接続される。
【０００８】
本発明の第四実施例によるプレゼンテーション方法は、受信装置が、発信装置によりキャプチャされたスクリーンフレームを受信し、受信したスクリーンフレームをディスプレイ装置に出力して表示する工程と、受信装置がウェブサーバを構築する工程、および、受信装置が、受信したスクリーンフレームを保存し、ウェブページとし、ブラウザとウェブサーバとの間にネットワーク接続を構築し、ウェブサーバのウェブページを閲覧する工程、を含む。発信装置及び受信装置は、IEEE ８０２.１１シリーズの無線通信基準に従い、受信装置は、ビデオグラフィックスアレイ接続ポート、デジタルビジュアルインターフェース、または、高精細度マルチメディアインターフェースにより、ディスプレイ装置と接続される。
【０００９】
本発明の第五実施例によるコンピュータ可読媒体は、コンピュータプログラムを保存する。コンピュータプログラムは、受信装置にロードされて、プレゼンテーション表示方法を実行する。プレゼンテーション表示方法は、受信装置が、発信装置によりキャプチャされたスクリーンフレームを受信し、受信したスクリーンフレームをディスプレイ装置に出力して表示する工程と、受信装置がウェブサーバを構築する工程、および、受信装置が、受信したスクリーンフレームを保存して、ウェブページとし、ブラウザとウェブサーバとの間にネットワーク接続を構築し、ウェブサーバのウェブページを閲覧する工程と、を含む。
【００１０】
上記及び他の目的及び本発明の特徴は、添付図面とともに以下の記載を参照することにより明らかとなる。
【発明の効果】
【００１１】
本発明により、プレゼンテーションに参加する視聴者は、別途にソフトウェアを装着しなくても、携帯インターネット機器やその他のネットワーク装置の通用ブラウザにより、受信端のウェブサーバに接続し、プレゼンテーション画面を含むウェブページを閲覧することができる。
【図面の簡単な説明】
【００１２】
【図１】本発明の実施例によるプレゼンテーションシステムを示す図である。
【図２】本発明の実施例によるプレゼンテーション方法のフローチャートである。
【図３】本発明の実施例によるプレゼンテーション表示方法のフローチャートである。
【発明を実施するための形態】
【００１３】
図１を参照すると、本発明の実施例によるプレゼンテーションシステムは、発信装置１０、および、受信装置２０を含む。発信装置１０は、キャプチャモジュール１１、および、第一通信インターフェース１２を含む。キャプチャモジュール１１は、スクリーンフレームＳＦをキャプチャする。たとえば、キャプチャモジュール１１は、作業システムを用いて、ソフトウェアプログラムにより、プレゼンテーションページを再生するコンピュータのロスレスのスクリーンフレームを取得する。第一通信インターフェース１２とキャプチャモジュール１１は電気的に接続される。第一通信インターフェース１２は、キャプチャモジュール１１によりキャプチャされたスクリーンフレームＳＦを受信装置２０に発信する。たとえば、第一通信インターフェース１２は、有線ネットワークインターフェースか無線ネットワークインターフェースである。好ましくは、第一通信インターフェース１２はIEEE ８０２.１１シリーズの無線通信基準に基づく。
【００１４】
一つの実施例において、発信装置１０は、さらに、キャプチャモジュール１１と第一通信インターフェース１２の間に電気的に接続されるエンコードモジュール１３を含む。通信バンド幅の制限のため、エンコードモジュール１３は、まず、キャプチャモジュール１１によりキャプチャされたスクリーンフレームＳＦを符号化して、データ量を減少させてから、発信する。
【００１５】
受信装置２０は、第二通信インターフェース２１、ビデオ接続インターフェース２２、ウェブサーバ２３、および、ネットワークインターフェース２４を含む。第二通信インターフェース２１は、第一通信インターフェース１２と対応する通信プロトコルに基づいて、発信装置１０により発信されるまだ符号化されていない、または、すでに符号化されたスクリーンフレームＳＦを受信する。ビデオ接続インターフェース２２は、ディスプレイ装置３０と電気的に接続して、第二通信インターフェース２１が受信したスクリーンフレームを、ビデオ接続インターフェース２２によりディスプレイ装置３０に出力して表示する。注意すべきことは、受信装置２０は、ディスプレイ装置３０中に内蔵されるか、または、脱着可能な方式で、ディスプレイ装置３０は電気的に接続される。たとえば、ビデオ接続インターフェース２２は、ビデオグラフィックスアレイ(Video Graphic Array，VGA)接続ポート、デジタルビジュアルインターフェース(Digital Visual Interface，DVI)、または、高精細度マルチメディアインターフェース(High Definition Multimedia Interface，HDMI（登録商標）)等である。
【００１６】
ウェブサーバ２３は、スクリーンフレームを保存して、ウェブページとすることができる。たとえば、スクリーンフレームは、受信装置２０のランダムアクセスメモリ、フラッシュメモリやハードウェア等のストレージデバイスに保存すると共に、固定のアクセス経路を提供し、ウェブサーバ２３は、アクセス経路に従って、スクリーンフレームを含むウェブページにアクセスすることができる。ネットワークインターフェース２４とウェブサーバ２３は、電気的に接続される。プレゼンテーションに参加する視聴者は、スマートフォンやタブレット型コンピュータ等の携帯インターネット機器４０ａやその他のネットワーク装置４０ｂ内のブラウザを利用して、ネットワークインターフェース２４により、ウェブサーバ２３とネットワーク接続を構築して、プレゼンテーション画面を含むウェブページを閲覧する。理解できることは、第二通信インターフェース２１とネットワークインターフェース２４は整合できることである。たとえば、IEEE ８０２.１１シリーズの無線通信基準に従った単一無線ローカルネットワークインターフェースは、発信装置１０により発信されるスクリーンフレームＳＦ、および、携帯インターネット機器４０ａやネットワーク装置４０ｂが発信するウェブページ閲覧要求を受信することができる。
【００１７】
上述の構造によると、プレゼンテーションの主催者側は、プレゼンテーション会場の入口、座席の横やスライドの上に、ウェブサーバ２３のIPアドレスを提供するだけで、プレゼンテーションに参加する視聴者は、その他の特定のソフトウェアがなくても、携帯インターネット機器４０ａやディスプレイを有するその他のネットワーク装置４０ｂを利用して、再生中のプレゼンテーションページを閲覧することができる。このほか、プレゼンテーション講演者は、ウェブサーバを架設する必要がなく、また、別途に、プレゼンテーション内容のウェブページを準備しなくても、プレゼンテーションに参加する視聴者は、同時に、再生中のプレゼンテーションページを閲覧することができる。
【００１８】
一つの実施例において、発信装置１０は、スクリーンフレームＳＦを公開発布するウェブページにするか設定することができる。たとえば、プレゼンテーション講演者は、著作権やその他の要素のために、プレゼンテーション内容が公開に不適合だと判断すると、設定により、発信装置１０に対応する制御信号を発信させて、受信装置１０がスクリーンフレームＳＦを受信時、保存して、ウェブページとしない。
【００１９】
一つの実施例において、発信装置１０は、周期的に、スクリーンフレームＳＦをキャプチャし、スクリーンフレームＳＦを発信する。たとえば、発信装置１０は、１、３、５、１０秒かそれ以上の時間毎に、スクリーンフレームＳＦを一度キャプチャし、発信する。一つの実施例において、発信装置１０は、不定期で、静態のスクリーンフレームＳＦを発信してもよい。たとえば、発信装置１０は、周期的に、スクリーンフレームＳＦをキャプチャし、設定時間の内にキャプチャされるスクリーンフレームＳＦに変動がない時、このスクリーンフレームを静態のスクリーンフレームとして定義すると共に、受信装置２０に発信する。または、一つの実施例において、発信装置１０は、キャプチャされたスクリーンフレームＳＦの変動を検出し、スクリーンフレームに変動がある場合、たとえば、スライドが切り換わる場合に、発信装置１０は、変動したスクリーンフレームを受信装置１０に発信する。一つの実施例において、スクリーンフレームに変動がある場合、発信装置１０は、スクリーンフレーム中の変動領域だけを、受信装置２０に発信し、受信装置２０は、変動領域を利用して、更新されたスクリーンフレームをあらためると共に、ディスプレイ装置３０に出力するか、または、保存して、ウェブページとする。
【００２０】
一つの実施例において、ウェブサーバ２３は、自動更新モジュール(図示しない)を含んでもよい。自動更新モジュールは、ユーザー端のブラウザが閲覧するウェブページを自動的にリフレッシュする(refresh)ことができる。たとえば、ウェブページに、ウェブページを更新する時間間隔、たとえば、３０や６０秒を設定し、これにより、ユーザー端のブラウザは、３０または６０秒毎に、閲覧中のウェブページを更新する。または、ウェブサーバ２３に保存されたウェブページが更新される時、ウェブサーバ２３は、接続されるブラウザが閲覧するウェブページをリフレッシュする。
【００２１】
図１および図２を参照し、本発明の実施例によるプレゼンテーション方法を説明する。まず、発信装置１０は、スクリーンフレームＳＦをキャプチャし、スクリーンフレームＳＦを受信装置２０に発信する (Ｓ２１)。受信装置２０は、発信装置１０により発信されるスクリーンフレームＳＦを受信し、スクリーンフレームＳＦをディスプレイ装置３０に出力して表示する (Ｓ２２)。受信装置２０はウェブサーバ２３を構築する (Ｓ２３)。続いて、受信装置２０は、発信装置１０により発信されるスクリーンフレームＳＦを保存し、ウェブページとする。このウェブページは、ユーザー端のブラウザとウェブサーバ２３との間にネットワーク接続を構築して、閲覧できるようにする(Ｓ２４)。一つの実施例において、本発明のプレゼンテーション方法は、さらに、ウェブサーバ２３がブラウザで閲覧されるウェブページを自動的にリフレッシュすることを含む (Ｓ２５)。以上の工程は前述のようであり、ここに詳述しない。
【００２２】
図１および図３に示されるように、本発明の実施例によるプレゼンテーション表示方法を説明する。本発明のプレゼンテーション表示方法は、受信装置で実施する。まず、受信装置２０が、発信装置１０によりキャプチャされたスクリーンフレームＳＦを受信すると共に、スクリーンフレームＳＦをディスプレイ装置３０に出力して表示する(Ｓ３１)。続いて、受信装置２０はウェブサーバ２３を構築する(Ｓ３２)。最後に、受信装置２０は、発信装置１０により発信されるスクリーンフレームＳＦを保存し、ウェブページとする。このウェブページは、ユーザー端のブラウザとウェブサーバ２３との間にネットワーク接続を構築して、閲覧できるようにする(Ｓ３３)。一つの実施例において、本発明のプレゼンテーション表示方法は、更に、ウェブサーバ２３がブラウザで閲覧されるウェブページを自動的にリフレッシュすることを含む (Ｓ３４)。以上の工程は前述のようであり、ここに詳述しない。
【００２３】
本発明は、コンピュータプログラムを保存するコンピュータ可読媒体も開示する。このコンピュータプログラムは、受信装置にロードされて、図３に示されるプレゼンテーション表示方法を実施することができる。図３に示されるプレゼンテーション表示方法の工程は前述のようであり、ここに詳述しない。
【００２４】
総合すると、本発明のプレゼンテーションシステム、受信装置と方法は、受信端で、プレゼンテーション発信端により発信されるスクリーンフレームを保存して、ウェブページとすると共に、ウェブサーバを構築する。本発明によると、プレゼンテーションに参加する視聴者は、別途にソフトウェアを装着しなくても、携帯インターネット機器やその他のネットワーク装置の通用ブラウザにより、受信端のウェブサーバに接続し、プレゼンテーション画面を含むウェブページを閲覧することができる。このほか、遠距離のテレビ会議時、既存のテレビ会議システムにより、講演者の動作や表情が見えるほかに、視聴者は、手元のコンピュータ等のインターネット装置により、ウェブサーバとネットワーク接続を構築して、再生中のプレゼンテーション内容を閲覧することができる。
【００２５】
本発明では好ましい実施例を前述の通り開示したが、これらは決して本発明に限定するものではなく、当該技術を熟知する者なら誰でも、本発明の精神と領域を脱しない範囲内で各種の変動や修飾を加えることができ、従って本発明の保護範囲は、特許請求の範囲で指定した内容を基準とする。
【符号の説明】
【００２６】
１０  発信装置
１１  キャプチャモジュール
１２  第一通信インターフェース
１３  エンコードモジュール
２０  受信装置
２１  第二通信インターフェース
２２  ビデオ接続インターフェース
２３  ウェブサーバ
２４  ネットワークインターフェース
３０  ディスプレイ装置
４０a  携帯インターネット機器
４０b  ネットワーク装置
Ｓ２１〜Ｓ２５  プレゼンテーション方法の工程
Ｓ３１〜Ｓ３４  プレゼンテーション表示方法の工程
ＳＦ  スクリーンフレーム
【図１】
0005655221.tif 000002
【図２】
0005655221.tif 000003
【図３】
0005655221.tif 000004